(57)【特許請求の範囲】
【請求項１】
入力操作機能を有して任意の情報を処理する一以上の情報処理装置と、
前記情報処理装置から転送される情報に基づいて画像を表示する情報制御表示手段と、
前記情報制御表示手段によって表示される表示情報内容を時間情報と共に記録して電子情報内容を作成する情報作成装置と、
少なくとも、前記情報処理装置、情報制御表示手段及び情報作成装置を接続する通信手段とを備え、
前記情報制御表示手段は、
前記情報処理装置の入力操作機能に基づいて得られた前記表示情報内容に、マークを設定するための識別情報を前記時間情報と共に記録するように前記情報作成装置を制御し、
前記情報作成装置は、
前記識別情報に基づいて前記表示情報内容を任意の情報分割内容に区分し、
前記情報処理装置では、
前記情報分割内容の再生順序を設定するように前記入力操作機能が使用されることを特徴とするネットワーク情報処理システム。
【請求項２】
前記識別情報は、前記表示情報内容に対して定期的又は不定期的に設定されることを特徴とする請求項１に記載のネットワーク情報処理システム。
【請求項３】
前記情報作成装置は、前記識別情報に関してマークの番号、時刻及び名前を記録することを特徴とする請求項１に記載のネットワーク情報処理システム。
【請求項４】
前記情報処理装置で前記情報分割内容を再生順序にしたがって再生することを特徴とする請求項１に記載のネットワーク情報処理システム。
【請求項５】
前記情報処理装置から転送される情報以外の少なくとも映像または音声を入力する動画・音声入力装置を備えることを特徴とする請求項１に記載のネットワーク情報処理システム。
【請求項６】
入力操作機能を有して任意の情報を処理する一以上の情報処理系と、前記情報処理系から転送される情報に基づいて画像を表示する情報制御表示系と、前記情報制御表示系によって表示される表示情報内容を時間情報と共に記録して電子情報内容を作成する情報作成系とを通信手段によって接続するステップと、
前記情報処理系では、前記入力操作機能を使用して情報作成系に対して前記表示情報内容にマークを設定するための識別情報を設定するステップと、
前記情報制御表示系では、
前記情報処理系により設定された前記識別情報を時間情報と共に記録するように前記情報作成系を制御するステップと、
前記情報作成系では、
前記識別情報に基づいて前記表示情報内容を任意の情報分割内容に区分するステップと、
前記情報処理系では、
前記入力操作機能を使用して前記情報分割内容の再生順序を設定するステップとを有することを特徴とする情報処理方法。
【請求項７】
前記表示情報内容をストリーミングデータとし、前記識別情報をマーク情報としたとき、
記録時に、予めマーカを指定して当該ストリーミングデータにマーク情報を設定し、再生時には、マーク情報に基づいて予め指定されたマーカ位置に飛んで当該ストリーミングデータを再生することを特徴とする請求項６に記載の情報処理方法。
【請求項８】
前記マーカを利用して前記ストリーミングデータを再生する場合に、予めマーカ単位に再生順番を指定することを特徴とする請求項６に記載の情報処理方法。
【請求項９】
前記ストリーミングデータの再生順番を入れ換えることを特徴とする請求項８に記載の情報処理方法。
【請求項１０】
前記ストリーミングデータで不要な部分を飛ばして再生することを特徴とする請求項８に記載の情報処理方法。
【請求項１１】
前記ストリーミングデータの再生手順をランダムに設定することによりマーカ単位に前記ストリーミングデータをランダムに再生することを特徴とする請求項８に記載の情報処理方法。
【請求項１２】
前記マーカをマニュアルで設定することを特徴とする請求項８に記載の情報処理方法。
【請求項１３】
前記マーカを一定時間毎に設定することを特徴とする請求項８に記載の情報処理方法。
【請求項１４】
前記情報作成系は、
前記識別情報に基づいて表示情報内容を任意の情報分割内容に区分することを特徴とする請求項６に記載の情報処理方法。
【発明の詳細な説明】
【０００１】
【発明の属する技術分野】
本発明は、ネットワーク電子会議システムや、ネットワーク教育システム、ネットワークゲームシステム等に適用して好適なネットワーク情報処理システム及び情報処理方法に関するものである。
【０００２】
詳しくは、情報処理系、情報制御表示系及び情報作成系を通信手段により接続し、情報処理系の入力操作機能に基づいて得られた制御情報を時間情報と共に記録して、時間情報と共に記録された表示情報内容を任意の情報分割内容に区分できるようにすると共に、この情報分割内容を再生順序を入れ替えたり、不要な情報分割内容を再生対象から削除できるようにしたものである。
【０００３】
【従来の技術】
近年、パーソナルコンピュータ（以下でパソコンという）を用いて作成したプレゼンテーション資料を会議室に持ち込んで、プレゼンタ（資料発表者）がそれを複数の会議参加者に対して電子機器を用いて発表する、いわゆる電子会議形式が採られる場合が多くなってきた。
【０００４】
この電子会議形式では表示機器と資料発表者のノートパソコンとが接続される。この表示機器にはデータプロジェクタが使用され、パソコンで作成したプレゼンテーション資料が表示される。データプロジェクタ（以下で単にプロジェクタという）には、一人のプレゼンタ自身のノートパソコンがＲＧＢケーブルを通じて接続され、そのノートパソコンに表示されている画面を白壁等に投影するようになされる。白壁等に表示されているプレゼンテーション資料は発表者が操作するマウスカーソルによって指し示すようになされる。つまり、白壁等には説明者が所有している資料のみが表示される。
【０００５】
最近では、ネットワーク対応のデータプロジェクタが登場している。このプロジェクタにはパソコン機能が内蔵されているものである。これによれば、説明者が自身のノートパソコン（以下で情報処理装置ともいう）からプレゼンテーションファイルをネットワーク経由でプロジェクタに転送し、そのプロジェクタのパソコン機能によりその内容を表示し投影するようになされる。
【０００６】
【発明が解決しようとする課題】
ところで、従来例に係る電子会議形式において、複数のプロジェクタ等の表示機材に発表資料を表示してプレゼンテーションを進行し、そのプレゼンテーション資料から議事録等の電子情報内容を自動作成するようなシステムを構築しようとした場合に、以下のような問題がある。
【０００７】
▲１▼  議事録等の電子情報内容を作成する場合であって情報作成系でストリーミングデータを編集しようとしたとき、表示情報内容の編集作業の他にフォーマット変換や、編集カットした後の表示情報内容の結合に多くの時間が必要となる。編集作業分の工数が増加する。
【０００８】
因みに、マーカーを使用した編集方法が考案されているが、この種の編集方法によれば、マーカーを頭だしに使用しているだけで、表示情報内容の再生手順を変えたり、不要な部分をカットする場合には複雑な編集作業が必要となっている。
【０００９】
▲２▼  また、情報作成系で編集作業によって残った表示情報内容が破棄されてしまったり、何らの識別情報等を付加されずに表示情報内容が取り扱われると、違った形の電子情報内容を作成しようとした場合に、最初から表示情報内容の確認を行うという作業から取り組まなければならず、編集作業が困難となるおそれがある。
【００１０】
そこで、この発明はこのような従来の課題を解決したものであって、複雑な編集作業を伴うことなく簡単に電子情報内容を作成できるようにしたネットワーク情報処理システム及び情報処理方法を提供することを目的とする。
【００１１】
【課題を解決するための手段】
上述した課題は、入力操作機能を有して任意の情報を処理する一以上の情報処理装置と、情報処理装置から転送される情報に基づいて画像を表示する情報制御表示手段と、この情報制御表示手段によって表示される表示情報内容を時間情報と共に記録して電子情報内容を作成する情報作成装置と、少なくとも、情報処理装置、情報制御表示手段及び情報作成装置を接続する通信手段とを備え、情報制御表示手段は、情報処理装置の入力操作機能に基づいて得られた表示情報内容に、マークを設定するための識別情報を時間情報と共に記録するように情報作成装置を制御し、情報作成装置は、識別情報に基づいて表示情報内容を任意の情報分割内容に区分し、情報処理装置では、情報分割内容の再生順序を設定するように入力操作機能が使用されることを特徴とするネットワーク情報処理システムによって解決される。
【００１２】
本発明に係るネットワーク情報処理システムによれば、情報処理装置、情報制御表示手段及び情報作成装置が通信手段により接続され、情報処理装置では入力操作機能に基づいて任意の情報を処理するようになされる。情報制御表示手段では情報処理装置から転送される情報に基づいて画像が表示される。情報作成装置では情報制御表示手段によって表示される表示情報内容を時間情報と共に記録して電子情報内容を作成するようになされる。これを前提にして、情報制御表示手段は、情報処理装置の入力操作機能に基づいて得られた表示情報内容に、マークを設定するための識別情報を時間情報と共に記録するように情報作成装置を制御する。情報作成装置は、識別情報に基づいて表示情報内容を任意の情報分割内容に区分する。情報処理装置では、情報分割内容の再生順序を設定するように入力操作機能が使用される。
【００１３】
従って、識別情報により区分された情報分割内容を編集作業なしに時間情報に基づいて再生順序を入れ替えたり、不要な情報分割内容を再生対象から削除するような情報処理を行うことができる。これにより、複雑な編集作業を伴うことなく簡単に議事録等の電子情報内容を作成することができる。
【００１４】
本発明に係る情報処理方法は、入力操作機能を有して任意の情報を処理する一以上の情報処理系と、情報処理系から転送される情報に基づいて画像を表示する情報制御表示系と、この情報制御表示系によって表示される表示情報内容を時間情報と共に記録して電子情報内容を作成する情報作成系とを通信手段によって接続するステップと、情報処理系では、入力操作機能を使用して情報作成系に対して表示情報内容にマークを設定するための識別情報を設定するステップと、情報制御表示系では、情報処理系により設定された識別情報を時間情報と共に記録するように情報作成系を制御するステップと、情報作成系では、識別情報に基づいて表示情報内容を任意の情報分割内容に区分するステップと、情報処理系では、入力操作機能を使用して情報分割内容の再生順序を設定するステップとを有することを特徴とするものである。
【００１５】
本発明に係る情報処理方法によれば、識別情報により区分された情報分割内容を編集作業なしに時間情報に基づいて再生順序を入れ替えたり、不要な情報分割内容を再生対象から削除するような情報処理を行うことができる。これにより、複雑な編集作業を伴うことなく簡単に議事録等の電子情報内容を作成することができる。
【００１６】
【発明の実施の形態】
続いて、この発明に係るネットワーク情報処理システム及び情報処理方法の一実施の形態について、図面を参照しながら説明をする。
（１）実施形態
図１は本発明に係る実施形態としてのネットワーク情報処理システム１００の構成例を示すブロック図である。
この実施形態では情報処理装置、情報制御表示手段及び情報作成装置を通信手段により接続し、情報処理装置の入力操作機能に基づいて得られた制御情報を時間情報と共に記録するように情報作成装置を制御して、時間情報と共に記録された表示情報内容を任意の情報分割内容に区分できるようにすると共に、情報分割内容を再生順序を入れ替えたり、不要な情報分割内容を再生対象から削除するような編集処理できるようにしたものである。
【００１７】
図１に示すネットワーク情報処理システム１００はネットワーク電子会議システムや、ネットワーク教育システム、ネットワークゲームシステム等に適用して好適なものである。当該システム１００は特定の領域又は会議室等の特定の場所に情報作成装置５（情報作成系Ｉ）及び一以上の情報制御表示手段１０（情報制御表示系II）を配置すると共に、その特定の領域又は特定の場所内に一以上の情報処理装置１（情報処理系III）を準備する。
【００１８】
この情報作成装置５、情報制御表示手段１０及び各々の情報処理装置１とを通信手段４により接続し、これらの情報処理装置１から操作指示に基づいて情報制御表示手段１０を遠隔制御すると共に、情報作成装置５で表示情報内容ＤINを記録して電子情報内容ＤOUTを編集作成するようになされる。表示情報内容ＤINは例えば、会議の様子を撮影した動画や、会議参加者から集音した音声情報及び、資料発表者が準備したプレゼンテーション資料に基づく静止画情報が対象となる。
【００１９】
情報処理装置１は入力操作機能の一例となるグラフィックユーザインタフェース（以下、ＧＵＩ機能という）を有しており、このＧＵＩ機能及びマウス操作機能を利用して任意の情報を処理するようになされる。情報処理装置１には持ち運び便利なノート型のパーソナルコンピュータ（以下でノートパソコンという）が使用される。ネットワーク電子会議システム等に参加する場合には専用のアプリケーションがノートパソコンにインストールされる。
【００２０】
この通信手段４には情報制御表示手段１０が接続され、情報処理装置１から転送される情報に基づいて画像を表示するようになされる。情報制御表示手段１０にはプロジェクタやパーソナルコンピュータ機能付きのコミュニケータが使用される。情報制御表示手段１０では情報処理装置１から遠隔操作指示に基づいて情報作成装置５の制御を含む電子情報処理を支援するようになされる。
【００２１】
例えば、情報制御表示手段１０は情報処理装置１のＧＵＩ機能に基づいて得られた制御情報ＣＤを時間情報ＴＤと共に記録するように情報作成装置５を制御する。この制御情報ＣＤは表示情報内容ＤINにマークを設定するための識別情報である。このマークによって表示情報内容ＤINを任意の情報分割内容に区分するためである。情報分割内容は静止画のサムネイル（縮小画像）等によって表現され、電子情報内容ＤOUT等の編集処理を容易にするようになされる。
【００２２】
このシステム１００で情報作成装置５に記録される表示情報内容ＤINに対して情報処理装置１のＧＵＩ機能を使用して制御情報ＣＤが設定される。制御情報ＣＤは表示情報内容ＤINに対して定期的又は不定期的に設定するようにしてもよい。試験問題などの特定のプレゼンテーション資料等の編集処理を容易にするためである。
【００２３】
上述の通信手段４に接続された情報作成装置５では、情報制御表示手段１０によって表示される表示情報内容ＤINを時間情報ＴＤと共に記録して電子情報内容ＤOUTを作成するようになされる。情報作成装置５は識別情報に関してマークの番号、時刻及び名前を記録するようになされる。これらのマークの番号、時刻及び名前はメモリに記録され、情報処理装置１の表示装置等にリスト表示される。編集処理を容易にするためである。
【００２４】
このシステム１００で情報作成装置５は制御情報ＣＤに基づいて表示情報内容ＤINを任意の情報分割内容に区分するようになされる。情報分割内容は時間情報ＴＤによって区切られる。情報分割内容の再生順序を入れ替えたり、不要な情報分割内容を再生対象から削除するためである。
【００２５】
このシステム１００では情報作成装置５から情報処理装置１へ表示情報内容をダウンロードし、情報処理装置１では表示情報内容を再生するようになされる。この表示情報内容の中で情報分割内容の再生順序は情報処理装置１のＧＵＩ機能を使用して設定するようになされる。
【００２６】
情報処理装置１ではＧＵＩ機能を使用して情報分割内容を編集し、ここで編集された情報分割内容に基づいて情報作成装置５で電子情報内容ＤOUTを作成するようになされる。つまり、情報作成装置５では制御情報ＣＤに基づいて表示情報内容ＤINの中から情報分割内容を自動抽出して編集する。電子情報内容ＤOUTは編集用のソフトウエアで作成する場合は、クライアントのパーソナルコンピュータや、通常使用しているパーソナルコンピュータで編集した後の情報分割内容をデータストリーム化したものである。
【００２７】
このようにすると、複数のプレゼンテーション画面の中から、制御情報ＣＤを設定された情報分割内容を自動的に抽出してリアルタイムに送出するようなネットワーク電子会議システム等を構築することができる。また、遠隔地等他の場所に配置された情報処理装置１や情報制御表示手段１０等へ一斉にデータストリーム形式の電子情報内容ＤOUTを配信（ブロードキャスト）できるようになる。
【００２８】
これらの情報処理装置１、情報制御表示手段１０及び情報作成装置５は通信手段４によって接続されるが、システム１００では情報制御表示手段１０に無線通信機能を設け、情報処理装置１の各々に無線通信機能を設けることにより通信手段４を構成する場合と、アクセスポイントとしての無線装置を設けることにより通信手段４を構成する場合と、通常の通信ケーブルを用いて通信手段４を構成する場合を想定している。もちろん、これらを組み合わせてネットワークを構成してもよい。
【００２９】
無線通信機能には無線ＬＡＮカードが使用される。無線ＬＡＮカードを使用した場合には、特定の領域又は特定の場所内において、Ｐｅｅｒ  ｔｏ  Ｐｅｅｒモードにより情報制御表示手段１０と各々の情報処理装置１とを結ぶことができる。この場合はアクセスポイントが不要となる。
【００３０】
続いて、本発明に係る情報処理方法について当該ネットワーク情報処理システムにおける処理例を説明をする。図２はネットワーク情報処理システムにおける処理例を示すフローチャートである。
【００３１】
この実施形態では特定の領域又は会議室等の特定の場所に情報作成装置５（情報作成系Ｉ）及び一以上の情報制御表示手段１０（情報制御表示系II）を配置すると共に、その特定の領域又は特定の場所内に一以上の情報処理装置１（情報処理系III）を準備する場合を前提とする。
【００３２】
これを処理条件にして、図２に示すフローチャートのステップＡ１で情報作成系Ｉ、情報制御表示系II及び情報処理IIIを通信手段４により接続する。このとき、例えば情報制御表示手段１０に無線通信機能を設け、情報処理装置１の各々に無線通信機能を設けることにより通信手段４を構成する。情報作成装置５と情報制御表示手段１０とは通信ケーブルを使用して接続する。
【００３３】
もちろん、アクセスポイントとしての無線装置を設けることにより通信手段４を構成してもよく、また、通常の通信ケーブルを用いて通信手段４を構成してもよい。情報処理装置１、情報作成装置５及び情報制御表示手段１０等のネットワーク構成用の電子機器は電源がオンされる。
【００３４】
その後、情報処理装置１でシステム参加者により情報処理用のシステムプログラムが起動されると、ステップＡ２に移行して情報制御表示手段１０では情報処理装置１からの入力操作指示が待たれる。この入力操作指示によって、表示情報内容ＤINを情報作成装置５へ記録するかが情報制御表示手段１０でチェックされる。
【００３５】
このとき、情報処理装置１のＧＵＩ機能を使用して当該情報制御表示手段１０へ記録指示が出される。そして、情報処理装置１から情報制御表示手段１０へ入力操作指示や記録指示等がなされると、ステップＡ３に移行して当該システム１００では情報処理が分岐される。もちろん、これに限られることはなく、クライアントの情報処理装置１の操作画面（Ｗｅｂ画面）上で操作入力した入力操作指示や記録指示等を直接、情報作成装置５へ通知するようにしてもよい。
【００３６】
情報作成系ＩではステップＡ４に移行して情報作成処理がなされる。例えば、ステップＡ４１で情報処理系IIIのＧＵＩ機能に基づいて制御情報ＣＤが設定される。その後、ステップＡ４２で制御情報ＣＤを時間情報ＴＤや表示情報内容ＤINと共に記録するようになされる。もちろん、情報作成装置５では情報制御表示手段１０によって表示される表示情報内容ＤINや、図示しない動画像・音声情報等を時間情報ＴＤと共に記録して電子情報内容ＤOUTを作成するようになされる。そして、ステップＡ６に移行する。
【００３７】
また、情報制御表示系IIではステップＡ５で情報制御表示処理がなされる。例えば、情報制御表示手段１０では情報処理装置１から転送されるプレゼンテーション用の資料情報等に基づいて静止画像等が表示される。表示情報内容ＤINは情報作成装置５へ転送される。
【００３８】
なお、ステップＡ６ではシステム参加者の終了判断に基づいて情報処理装置１による情報制御表示手段１０や情報作成装置５の遠隔制御を終了する。情報制御表示手段１０では電源オフ情報を検出して情報処理を終了する。これらの遠隔制御を終了しない場合はステップＡ２に戻り、上述のステップＡ２〜Ａ５を繰り返すようになされる。
【００３９】
このように、本発明に係る実施形態としてのネットワーク情報処理システム１００によれば、情報処理装置１、情報作成装置５及び情報制御表示手段１０が通信手段４により接続され、情報処理装置１ではＧＵＩ機能に基づいて任意の情報を処理するようになされる。これを前提にして、情報制御表示手段１０は情報処理装置１のＧＵＩ機能に基づいて得られた制御情報ＣＤを時間情報ＴＤと共に記録するように情報作成装置５を制御する。又は、クライアントの情報処理装置１の操作画面（Ｗｅｂ画面）上で操作入力した記録指示等を直接、情報作成装置５へ通知するようになされる。
【００４０】
従って、時間情報ＴＤと共に記録された表示情報内容ＤINを制御情報ＣＤによって任意の情報分割内容に区分できるので、制御情報ＣＤによって区分された複数の情報分割内容を時間情報ＴＤに基づいて再生順序を入れ替えたり、不要な情報分割内容を再生対象から削除するような編集処理を行うことができる。これにより、複雑な編集作業を伴うことなく簡単に電子情報内容ＤOUTを作成することができる。当該ネットワーク情報処理システム１００をネットワーク電子会議システムや、ネットワーク教育システム、ネットワークゲームシステム等に十分応用することができる。
【００４１】
（２）実施例
図３は本発明に係る実施例としてのネットワーク電子会議システム１０１の構成例を示すイメージ図である。
この実施例では、ネットワーク情報処理システムの一例となるネットワーク電子会議システム１０１を構成し、情報制御表示手段は情報処理装置のＧＵＩ機能に基づいて得られた制御情報ＣＤを時間情報ＴＤと共に記録するように情報作成装置を制御するようにしたものである。
【００４２】
図３に示すネットワーク電子会議システム１０１はネットワークを利用したプレゼンテーションシステムであって、１つの会議室等に情報作成装置の一例となるクリエータ５（情報作成系Ｉ）及び情報制御表示手段の一例となるプレゼンテーション装置１０（情報制御表示系II）を配置すると共に、その会議室内に情報処理装置の一例となる複数のノートパソコンＰＣｉ（ｉ＝１〜ｎ：情報処理系III）が準備される。
【００４３】
このクリエータ５及びプレゼンテーション装置１０とを通信手段の一例となる集線接続器（以下でＨＵＢという）９Ａ，９Ｂ，９Ｃ及び有線ＬＡＮを構成する通信ケーブル４０等により接続される。ＨＵＢ９Ａ，９Ｂ，９Ｃは通信ケーブル４０に接続されている。
【００４４】
このプレゼンテーション装置１０と各々ノートパソコンＰＣｉとを通信手段の一例となるアクセスポイント６及び無線ＬＡＮにより接続し、これらのノートパソコンＰＣｉから操作指示に基づいてプレゼンテーション装置１０を遠隔制御するようになされる。
【００４５】
つまり、ノートパソコンＰＣｉからプレゼンテーション装置１０へネットワーク経由でアクセスすることでネットワーク電子会議システム１０１が構築される。この電子会議システム１０１は、当該システム単独で機能する場合もあるし、他の同様のシステムとリモート接続して使用される場合もある。
【００４６】
このシステム１０１で会議参加者はネットワークに接続可能なノートパソコンＰＣｉを使用する。ノートパソコンＰＣｉはＧＵＩ機能を有しており、このＧＵＩ機能及びマウス操作機能を利用して任意の情報を処理するようになされる。ノートパソコンＰＣｉには液晶ディスプレイ１１が備えられ、ＧＵＩ画面等の操作画面が表示される。当該ネットワーク電子会議システム１０１に参加する場合は専用のアプリケーションがノートパソコンＰＣｉにインストールされる。
【００４７】
このシステム１０１でプレゼンテーション装置１０が準備されるが、当該装置１０はプレゼンテーション資料表示用のプロジェクタ２やパーソナルコンピュータ（パソコン）機能付きのコミュニケータ３等から構成される。もちろん、プレゼンテーション装置１０にはプロジェクタ２に当該コミュニケータ機能を内蔵したネットワーク対応型の表示装置を使用してもよい。
【００４８】
この例でＨＵＢ９Ｃにはコミュニケータ３が接続されており、ノートパソコンＰＣｉから転送される資料情報等に基づいてプレゼンテーション用の画像の表示制御をするようになされる。つまり、コミュニケータ３ではノートパソコンＰＣｉから遠隔操作指示に基づいてプロジェクタ２及びクリエータ５の入出力制御を含むネットワーク情報処理を支援するようになされる。
【００４９】
例えば、コミュニケータ３はノートパソコンＰＣｉのＧＵＩ機能に基づいて得られた制御情報の一例となるマーク情報ＣＤを時間情報ＴＤと共に記録するようにクリエータ５を制御する。又は、クライアントのノートパソコンＰＣｉの操作画面（Ｗｅｂ画面）上で操作入力したマーク情報ＣＤ等を直接、クリエータ５へ通知するようになされる。
【００５０】
このマーク情報ＣＤは表示情報内容ＤINにマークを設定するための識別情報である。このマークによって表示情報内容ＤINを任意の情報分割内容に区分するためである。電子情報内容ＤOUT等の編集処理を容易にするためである。この他にコミュニケータ３では会議参加者が使用するノートパソコンＰＣｉを管理するようになされる。
【００５１】
コミュニケータ３にはプロジェクタ２が接続されており、ノートパソコンＰＣｉから転送される資料情報に基づいてプレゼンテーション用の映像が表示される。プロジェクタ２はＲＧＢ信号に基づいて白壁等にカラーの映像を投影するようになされる。このプロジェクタ２の代わりにフラットパネルディスプレイ等を使用してもよい。フラットパネルディスプレイには表示大画面化が可能なプラズマディスプレイ等が使用される。
【００５２】
この例で動画・音声入力装置の一例となるＬＡＮ接続で制御可能なＴＶ会議装置（例えば、ＰＣＳ−１６００）７が備えられ、ノートパソコンＰＣｉから転送される資料情報以外の少なくとも、会議室内の動画映像及び音声情報を取得するようになされる。ＴＶ会議装置７はビデオカメラ７ａと、音声入力装置としてのマイク７ｂを有している。この例でＴＶ会議装置７はクリエータ５に直接接続され、そしてクライアントのノートパソコンＰＣｉからの指示に従ってその動作モードが制御できるように構成されている。
【００５３】
上述のＨＵＢ９Ａ及びＴＶ会議装置７にはクリエータ５が接続されており、プロジェクタ２によって表示される表示情報内容ＤINや、ＴＶ会議装置７で取得された映像及び音声情報を時間情報ＴＤと共に記録して電子情報内容ＤOUTを作成するようになされる。クリエータ５は制御情報の一例となるマーク情報ＣＤに関してマーカー（Ｍａｒｋｅｒ）の番号、時刻及び名前を記録するようになされる。これらのマークの番号、時刻及び名前はメモリに記録され、ノートパソコンＰＣｉの表示装置等にリスト表示される。編集処理を容易にするためである。
【００５４】
表示情報内容ＤINは資料発表者が準備したプレゼンテーション資料に基づく静止画情報であり、映像情報は会議の様子を撮影した動画内容であり、音声情報は会議参加者から集音した音声内容である。電子会議内容を議事録にして保存するためである。クリエータ５では表示情報内容ＤINを編集してデータストリーム化し電子情報内容ＤOUTを作成するようになされる。議事録をネット配信するためである。
【００５５】
このシステム１０１でクリエータ５に記録される表示情報内容ＤINに対してノートパソコンＰＣｉのＧＵＩ機能を使用してマーク情報ＣＤが設定される。マーク情報ＣＤは表示情報内容ＤINに対して定期的又は不定期的に設定するようにしてもよい。試験問題などの特定のプレゼンテーション資料等の編集処理を容易にするためである。
【００５６】
このシステム１０１でクリエータ５はマーク情報ＣＤに基づいて表示情報内容ＤINを任意の情報分割内容に区分するようになされる。情報分割内容は時間情報ＴＤによって区切られる。情報分割内容の再生順序を入れ替えたり、不要な情報分割内容を再生対象から削除するためである。
【００５７】
このシステム１０１でクリエータ５からノートパソコンＰＣｉへ情報分割内容をダウンロードし、ノートパソコンＰＣｉでは情報分割内容を再生するようになされる。この情報分割内容の再生順序はノートパソコンＰＣｉのＧＵＩ機能を使用して設定するようになされる。
【００５８】
ノートパソコンＰＣｉではＧＵＩ機能を使用して情報分割内容を編集し、ここで編集された情報分割内容に基づいてクリエータ５で電子情報内容ＤOUTを作成するようになされる。つまり、クリエータ５ではマーク情報ＣＤに基づいて表示情報内容ＤINの中から情報分割内容を自動抽出して編集する。電子情報内容ＤOUTは編集後の情報分割内容をデータストリーム化したものである。もちろん、これに限られることはなく、再生する順番を変えるだけで、全てのデータを圧縮等することなく、そのまま存在するようにしてもよい。
【００５９】
このようにすると、複数のプレゼンテーション画面の中から、マーク情報ＣＤを設定された情報分割内容を自動的に抽出してリアルタイムに送出するようなネットワーク電子会議システム等を構築することができる。また、遠隔地等他の場所に配置されたノートパソコンＰＣｉやコミュニケータ３等へ一斉にデータストリーム形式の電子情報内容ＤOUTを配信（ブロードキャスト）できるようになる。
【００６０】
これらのコミュニケータ３及びクリエータ５は通信ケーブル４０によって接続されるが、当該システム１０１ではＨＵＢ９Ｂにはアクセスポイント６が接続されており、ノートパソコンＰＣｉに取り付けられた無線ＬＡＮカード４Ａとの間で無線通信処理をするようになされる。もちろん、通常の通信ケーブルを用いて有線通信処理をしてもよい。これらを組み合わせてネットワークを構成してもよい。また、コミュニケータ３に無線ＬＡＮ機能を設け、ノートパソコンＰＣｉの各々に取り付けられた無線ＬＡＮカード４Ａとの間で直接アクセスするような無線通信処理をしてもよい（Ｐｅｅｒ  ｔｏ  Ｐｅｅｒモード）。
【００６１】
続いて、コミュニケータ３の内部構成例について説明をする。図４はコミュニケータ３の内部構成例を示すブロック図である。
図４に示すコミュニケータ３はパソコン機能を有しており、ノートパソコンＰＣｉのマウス操作によって情報処理をするものである。コミュニケータ３はデータバス３６を有しており、このデータバス３６にはディスプレイアダプタ３１、ＣＰＵ３２、ワーク用のＲＡＭ３３、データ格納装置３４、ネットワークアダプタ３５等が接続される。
【００６２】
ディスプレイアダプタ３１はプレゼンテーション用の資料を処理して、ＲＧＢ信号を作成する機能を有している。このプレゼンテーション用の資料に基づくＲＧＢ信号はプロジェクタ２に出力される。ワーク用のＲＡＭ３３にはＣＰＵ３２の展開によってプライベートＩＰアドレスやプレゼンテーション用の映像情報を一時記憶するようになされる。
【００６３】
データ格納装置３４は図示しないハードディスク（ＨＤＤ）、ＲＯＭ及びＲＡＭから構成されている。ハードディスクにはプレゼンテーション用の資料を格納するようになされる。ＲＯＭには電子会議システム１０１を支援するための制御プログラム（以下システム支援制御プログラムという）が記述されている。もちろん、ハードディスクにシステム支援制御プログラムを記述するようにしてもよい。ＲＯＭを省略できる。システム支援制御プログラムはＣＰＵ３２を動作させるための基本ソフトウェアやプレゼンテーションデータを処理するプログラムから構成されている。
【００６４】
ネットアワークダプタ３５ではノートパソコンＰＣｉからプレゼンテーションデータや各種コマンドの送受信を行うようになされる。ネットアワークダプタ３５はＨＵＢ９Ｃに接続される。コミュニケータ３に無線ＬＡＮ機能を設ける場合にはネットアワークダプタ３５に無線ＬＡＮカード４Ｂが取り付けられる。
【００６５】
ＣＰＵ３２はシステム支援制御プログラムに基づいてディスプレイアダプタ３１、ワーク用のＲＡＭ３３、データ格納装置３４、ネットアダプタ３５等の入出力を制御するようになされる。各種プログラムを処理するためである。ＣＰＵ３２ではノートパソコンＰＣｉから転送される資料情報等に基づいてプレゼンテーション用の画像の表示制御をするようになされる。つまり、ＣＰＵ３２はノートパソコンＰＣｉから遠隔操作指示に基づいてプロジェクタ２及びクリエータ５の入出力制御を含むネットワーク情報処理を支援するようになされる。
【００６６】
例えば、ＣＰＵ３２はノートパソコンＰＣｉのＧＵＩ機能に基づいて得られたマーク情報ＣＤを時間情報ＴＤと共に記録するようにクリエータ５を制御する。又は、クライアントのノートパソコンＰＣｉの操作画面（Ｗｅｂ画面）上で操作入力したマーク情報ＣＤ等を直接、クリエータ５へ通知するようになされる。このマーク情報ＣＤは表示情報内容ＤINにマークを設定するための識別情報である。このマークによって表示情報内容ＤINを任意の情報分割内容に区分するためである。また、電子情報内容ＤOUT等の編集処理を容易にするためである。この他にＣＰＵ３２では会議参加者が使用するノートパソコンＰＣｉを管理するようになされる。
【００６７】
続いて、クリエータ５の内部構成例について説明をする。図５はクリエータ５の内部構成例を示すブロック図である。
図５に示すクリエータ５は所望の表示情報内容ＤINを時間情報ＴＤと共に記録して電子情報内容ＤOUTを作成する装置であり、データバス２６を有している。データバス２６にはＣＰＵ２１、ワーク用のＲＡＭ２２、記憶装置２３、ネットワークアダプタ２４及び動画・音声入力端子２５が接続されている。
【００６８】
ワーク用のＲＡＭ（例えばハードディスク）２２は送受信した情報（動画や静止画などの情報）を処理するために動画・音声情報及び制御プログラムを一時記憶するようになされる。記憶装置２３はプレゼンテーション資料に係る表示情報内容ＤINを時間情報ＴＤと共に記録する他に、動画・音声情報等およびそれらを処理するための制御プログラムを記憶するようになされる。
【００６９】
ＣＰＵ２１は各種プログラムを処理する他に、プロジェクタ２によって表示される表示情報内容ＤINや、ＴＶ会議装置７で取得された映像及び音声情報を時間情報ＴＤと共に記憶装置２３又はＲＡＭ２２に記録して電子情報内容ＤOUTを作成するようになされる。表示情報内容ＤINは資料発表者が準備したプレゼンテーション資料に基づく静止画情報であり、映像情報は会議の様子を撮影した動画内容であり、音声情報は会議参加者から集音した音声内容である。電子会議内容を議事録にして保存するためである。
【００７０】
このクリエータ５でＲＡＭ２２又は記録装置２３に記録される表示情報内容ＤINに対してノートパソコンＰＣｉのＧＵＩ機能を使用してマーク情報ＣＤが設定される。マーク情報ＣＤは表示情報内容ＤINに対して定期的又は不定期的に設定するようにしてもよい。試験問題などの特定のプレゼンテーション資料等の編集処理を容易にするためである。
【００７１】
このクリエータ５でＣＰＵ２１はマーク情報ＣＤに基づいて表示情報内容ＤINを任意のサムネイル等の情報分割内容に区分するようになされる。情報分割内容は時間情報ＴＤによって区切られる。情報分割内容の再生順序を入れ替えたり、不要な情報分割内容を再生対象から削除するためである。
【００７２】
ＣＰＵ２１はマーク情報ＣＤに関してマークの番号、時刻及び名前を記録するようになされる。これらのマークの番号、時刻及び名前は記憶装置２３等に記録され、ノートパソコンＰＣｉの液晶ディスプレイ１１等にリスト表示される。編集処理を容易にするためである。ＣＰＵ２１では表示情報内容ＤINを編集してデータストリーム化し電子情報内容ＤOUTを作成するようになされる。議事録をネット配信するためである。
【００７３】
このようにすると、データストリーム形式の電子情報内容ＤOUTを一斉に複数のクライアントＰＣや、コミュニケータ３へ配信（ブロードキャスト）することができる。なお、データバス２６には動画・音声入力端子（Ｉ／Ｏインタフェース）２５が接続されており、ＴＶ会議装置７を接続して、このＴＶ会議装置７から映像および音声情報を受信するようになされる。また、ネットワークアダプタ２４はコミュニケータ３と接続するために使用される。もちろん、コミュニケータ３だけではなく、クライアントＰＣや、アクセスポイントとも接続される。
【００７４】
このようにクリエータ５は上述したようにコミュニケータ３で表示されているプレゼンテーション資料に関する情報を記録する他、電子会議に出席した出席者の情報（ＩＰアドレスや顔写真などの情報）などコミュニケータ３から転送される情報、さらには動画・音声情報などを記録するようになされる。そして、記録終了と共に会議の議事録とも言える会議コンテンツを自動的に生成するようになる。会議コンテンツはＷｅｂブラウザを使って時系列に再生できる形に生成される。
【００７５】
上述したクリエータ５およびＴＶ会議装置７に対する制御は複数の会議参加者のノートパソコンＰＣｉが存在する場合、その内の１台のクライアントのノートパソコンＰＣｉによって制御される。つまり書記役のノートパソコンＰＣｉ（以下、「記録者用クライアントＰＣ」という）によって管理されることになる。記録者用クライアントＰＣとなるためには、クリエータ５に対する操作画面として使用されるコントロール（ＣＯＮＴＲＯＬ）画面を開ければよい。
【００７６】
図６は記録者用クライアントＰＣにおけるＧＵＩ画面５０の表示例を示すイメージ図である。図７はそのメニュー画面Ｐ０の表示例、図８はそのコンテンツマネージャー画面５０ｅの表示例を各々示すイメージ図である。
【００７７】
図６に示すＧＵＩ画面５０はクライアントＰＣで横方向に分割されたほぼ３つの表示画面から構成される。その中央部には基本画面５０ａが表示され、その右側には会議に参加している参加者に関する情報を表示した参加者画面５０ｂが表示され、基本画面５０ａの左側にはクリエータ５をコントロールするコントロール画面５０ｃが表示される。そして、画面最下部には横長のメモ画面５０ｄが表示される。メモ画面５０ｄは全画面幅の約半分位を割当てられている。
【００７８】
この基本画面５０ａの上部側には、当該電子会議システム１０１に接続されているネットワーク構成用の電子機器のアイコンが表示される。図６の例ではクリエータ５のアイコンＫ１、コミュニケータ３のアイコンＫ２などが表示されている。また、ＴＶ会議装置用のアイコンＫ３も表示されている。
【００７９】
基本画面５０ａの下部側はファイルのリスト欄として使用され、ここにはプレゼンターとして機能するクライアントＰＣに蓄積されているファイル名Ｒ１が表示されている。参加者画面５０ｂには、参加者の顔写真、参加者が所有しているクライアントＰＣのＩＰアドレスなどが表示される。
【００８０】
コントロール画面５０ｃは、その最上部が映像表示部となされ、ビデオカメラ７ａで撮像された映像が動画情報として表示される。その中央部は帯状の表示エリアであって、ファンクションキーを含む複数のソフトキー操作部であり、その最下部が題名などの入力部となされている。ソフトキー操作部には、記録（ＲＥＣ）キーＫ４、停止（ＳＴＯＰ）キーＫ５、一時停止（ＰＡＵＳＥ）キーＫ６の他に、記録中重要な映像個所にマークをつけるためのマーク（ＭＡＲＫ）キーＫ７、メモ画面を開くためのメモ（ＭＥＭＯ）キーＫ８およびプロジェクタ２に表示されている静止画情報（プレゼンテーション資料）を保存するためのキャプチャ（ＣＡＰＴＵＲＥ）キーＫ９などが表示されている。
【００８１】
クライアントＰＣｉからコミュニケータ３にログオンすると、その表示画面上には基本画面５０ａのみが表示される。ファイル名Ｒ１の中のファイルリストをコミュニケータ３のアイコンＫ１にドラッグ＆ドロップ（Ｄｒｕｇ＆Ｄｒｏｐ）することで、そのファイルデータ（プレゼンテーション資料）がコミュニケータ３に転送され、プロジェクタ２に表示されてプレゼンテーションすることができる。ただし、これはプレゼンターの資格を得たクライアントのノートパソコンＰＣｉで操作した場合である。
【００８２】
また、基本画面５０ａのアテンディ（Ａｔｔｅｎｄｅｅ）ボタンＫ１０を押すと、図６で右側に示すような参加者画面５０ｂが表示される。そして、クリエータアイコンＫ１を右クリックすると、図７に示すようなメニュー画面Ｐ０が表示され、そのメニュー画面Ｐ０の中から「コントロール」を選択すると、図６に示したコントロール画面５０ｃが表示される。コントロール画面５０ｃの中からＭＥＭＯキーＫ８を操作すると、図６でＧＵＩ画面５０の下方にはメモ画面５０ｄが表示され、ここに文章などを入力できる。メモ画面５０ｄは４〜６行分のスペースがとられている。
【００８３】
図７に示したメニュー画面Ｐ０より「コンテンツマネージャー」を選択すると、図８に示すようなコンテンツマネージャー画面５０ｅが表示される。コンテンツマネージャー画面５０ｅにはクリエータ５に保存されているリストメニューが表示される。この画面５０ｅには、クリエータ５内に保存されているコンテンツリストＲ２が表示される他、選択されたコンテンツリストＲ２に対する動作モード選択用のソフトキーが表示される。
【００８４】
このコンテンツマネージャー画面５０ｅには、選択されたコンテンツを再生するレビュー（Ｒｅｖｉｅｗ）キーＫ１１、選択されたコンテンツをクライアントＰＣに転送するクライアント転送（Ｄｏｗｎｌｏａｄ  ｔｏ  Ｍｙ  Ｃｏｍｐｕｔｅｒ）キーＫ１２、選択されたコンテンツをサーバ装置へ転送するサーバ転送（Ｕｐｌｏａｄ  ｔｏ  Ｓｅｒｖｅｒ）キーＫ１３、選択されたコンテンツの詳細情報を見るための詳細（Ｓｈｏｗ  Ｃｏｎｔｅｎｔ  Ｉｎｆｏｒｍａｔｉｏｎ）キーＫ１４、選択されたコンテンツを消去するためのディレート（Ｄｅｌｅｔｅ）キーＫ１５などが表示されている。
【００８５】
図９はコントロール画面５０ｃにおける記録保存確認画面Ｐ１の表示例を示すイメージ図である。図９に示す記録保存確認画面Ｐ１は、記録者側ノートパソコンＰＣｉのコントロール画面５０ｃでＳＴＯＰキーＫ５を押下すると表示される。ＳＴＯＰキーＫ５の押下によって記録を終了し、コンテンツを生成するかの確認がなされる。このとき、レビューであって、パスワードが適用されている場合はその入力がなされる。例えば、レビューキーＫ１１をクリックする。この画面Ｐ１には「コンテンツ○○○を保存します。よろしいですか？」のメッセージが表示される共に、「プレゼンター認証用のパスワードで保護する」のメッセージが表示され、パスワードが入力される。
【００８６】
また、確認チェック用のマーク領域が表示される。このマーク領域をクリックすると、レ点が表示される。この画面Ｐ１の下方にはＯＫボタンＫ２４とキャンセル（ＣＨＡＮＣＥＬ）ボタンＫ２５が設けられている。ここで保存操作を行うべくＯＫボタンＫ２４をクリックすると、会議コンテンツが自動的に生成される。コンテンツ生成処理以外はキャンセルボタンＫ２５をクリックする。コンテンツを生成することなく終了する。
【００８７】
図１０はコンテンツ編集ソフトウエアに係るコンテンツ編集画面７０の表示例を示すイメージ図である。図１０に示すコンテンツ編集画面７０はクライアントのノートパソコンＰＣｉに表示される。この編集画面７０の左上部分には選択されたコンテンツのタイトル等の基本情報が表示される。この編集画面７０の右上部分は静止画表示領域７０ａであり、この領域７０ａにはカレントタイムに対する静止画が表示される。
【００８８】
この編集画面７０の中央部は動画表示領域７０ｂであり、この領域７０ｂにはカレントタイムに対する動画を表示するようになされる。また、編集画面７０の中央部から下半分には、クリエータ５に記録された動画、静止画およびメモを時間軸７１に沿ってそれぞれ並べている編集領域７０ｃが割当られている。
【００８９】
編集領域７０ｃでは例えば、３台のプロジェクタ２による映像（Ｐｉｃｔｕｒｅ）が表示される。この例でＰｉｃｔｕｒｅ１の段には時間情報ＴＤに基づいてプロジェクタ２によるＰａｇｅ１〜Ｐａｇｅ３の映像が表示される。Ｐｉｃｔｕｒｅ２の段には時間情報ＴＤに基づいて他のプロジェクタ２によるＰａｇｅ１の映像が表示される。Ｐｉｃｔｕｒｅ３の段には時間情報ＴＤに基づいて更に他のプロジェクタ２によるＰａｇｅ１の映像が表示される。
【００９０】
これらの映像は情報分割内容の一例となるサムネイル７４として表示され、静止画表示領域７０ａへの表示対象となる。この例ではＰｉｃｔｕｒｅ１〜３のサムネイル６４が表示される。いずれのＰｉｃｔｕｒｅ１〜３においても、横方向は時間情報の一例となる時間軸７１である。サムネイル７４を選択すると、動画も同期してそのサムネイル７４が表示された時間に飛ぶ。
【００９１】
つまり、編集領域７０ｃでは時間軸７１に沿って、動画または音声の情報を表す表示帯、静止画を表す表示帯およびメモを表す表示帯を並べている。静止画の表示帯はその静止画の表示時間に対応した帯部分が他の部分と異なる状態となっており、この帯部分に対応する静止画のサムネイル７４が表示されている。
【００９２】
この編集領域７０ｃの最下端には時間軸７１が設けられ、この例では編集画面７０に表示する時間軸７１の単位を「１，２，５，１０，１５，３０，６０」の各分に変更でき、その単位内に入らない部分は図示しないスクロールバーにて検索して表示させることができる。この編集領域７０ｃの最上端には動画用のタイムスケール（Ｍｏｖｉｅ）１６が設けられている。タイムスケール１６上には下向きの五角形記号から成る編集用のマーカ（Ｍａｒｋｅｒ）７３が設けられている。
【００９３】
また、Ｐｉｃｔｕｒｅ３の下方にはメモ（Ｍｅｍｏ）キーＫ２２が設けられ、このメモキーＫ２２の横方向には各種アイコンキー列（表示帯）１８が並んでいる。このメモの表示帯１８はそのメモの表示時間に対応した帯部分が他の部分と異なる状態となっており、この帯部分に対応するメモのアイコンが表示されている。また、この静止画またはメモの帯部分の右端をドラッグ＆ドロップする（つまんで動かす）ことにより、帯部分の長さを変更することができ、表示時間の変更が可能となされている。
【００９４】
このタイムスケール１６と表示帯１８との間には、Ｐｉｃｔｕｒｅ１〜３の表示領域を跨ぐようにして左右に移動可能なカレントタイムライン７２が表示され、現在の時刻を表示するようになされる。この例ではＰｉｃｔｕｒｅ３の段の映像にカレントタイムライン７２が跨って表示されている。このタイムライン７２に基づいて静止画の挿入、動画の再生、静止画の表示が行われる。また、タイムライン７２で動画の位置、静止画の表示タイミングを確認しながら、カットイン点、カットアウト点をビジブルに指定して、動画と静止画のカット＆マージを行うこともなされる。
【００９５】
なお、動画表示領域７０ｂの下方にはＭａｒｋキーＫ７と共に、タイムライン７２の送りキーＫ２６、その停止キーＫ２７、その早送りキーＫ２８、その早戻しキーＫ２９等が設けられる。早送り・早戻しキーＫ２８，Ｋ２９等の隣には右飛び越しキーＫ３０や、左飛び越しキーＫ３１が設けられている。ＭａｒｋキーＫ７の両脇にはタイムライン７２を含む表示枠等を設定する下向き右矢印キーＫ３２、下向き左矢印キーＫ３３も備えられている。これらのキーＫ７，Ｋ２６〜Ｋ３３等を使用することで、編集作業の操作性を向上できるようになされている。
【００９６】
図１１はマークリスト編集画面Ｐ２の表示例を示すイメージ図である。図１１に示すマークリスト編集画面Ｐ２は記録者用のノートパソコンＰＣｉでコンテンツマネージャー画面５０ｅを操作することにより表示される。もちろん、コンテンツマネージャー画面５０ｅでなく編集用のソフトウエアで行ってもよい。この画面Ｐ２にはマークリスト領域Ｐ２１が設けられ、例えば、マークの番号１〜５に関して、これらのマークの時刻及びマークの名前が一覧表形式で表示される。このマークリスト領域Ｐ２１には検索用の上・下キーＫ１６，Ｋ１７やツールバーＫ１８が設けられ、マークの番号、時刻及び名前を検索できるようになされている。
【００９７】
上・下キーＫ１６，Ｋ１７やツールバーＫ１８の左側には名前変更キーＫ１９や削除キーＫ２０、閉じるキーＫ２１が設けられている。名前変更キーＫ１９はマークの名前を変更する際に使用される。削除キーＫ２０はマーク番号を削除する際に使用される。マーク番号の削除によって、このマーク番号に属する時刻及び名前も同時に削除可能になされている。閉じるキーＫ２１はマークリスト編集画面Ｐ２を閉じる際に使用される。マークの順番を入れ替える場合はマーク番号をドラッグ＆ドロップすることによりなされる。
【００９８】
図１２はコンテンツ再生画面６０の表示例を示すイメージ図である。図１２に示すコンテンツ再生画面６０はクライアントのノートパソコンＰＣｉに表示される。コンテンツ再生画面６０は、図示するように会議の模様を映像記録した動画再生画面６０ａが左上部に位置し、そしてその会議で使用した静止画情報であるプレゼンテーション資料の静止画再生画面６０ｂがその右半分に位置するように分割表示され、これらが同一表示画面上で同時に表示できるような画面構成となっている。
【００９９】
そのため、プレゼンテーション資料用の静止画再生画面６０ｂは、１つの会議室に設置されるプロジェクタ２の最大数によってその表示パターンが相違する。この実施形態では３台までプロジェクタ２が接続できる構成であり、最大で３つのプレゼンテーション資料が表示される場合があるので、静止画再生画面６０ｂの再生画面構成は最大４分割できる表示パターンとなっている。
【０１００】
この表示パターンはプロジェクタ２が３台使用されたときの表示例である。静止画Ｐｉｃｔｕｒｅ１はプロジェクタ２で表示されたプレゼンテーション資料であり、同様に静止画Ｐｉｃｔｕｒｅ２、Ｐｉｃｔｕｒｅ３は他のプロジェクタ２を用いて表示されたプレゼンテーション資料である。コンテンツ再生時には時間経過に合わせてこの静止画再生画面６０ｂに表示されるプレゼンテーション資料が自動的に切り替わる。
【０１０１】
動画再生画面６０ａには、上述した動画映像が表示される他に、その映像表示部の真下にはＶｉｅｗ切り替え部７５が表示される。Ｖｉｅｗ切り替え部７５にはマーク（Ｍａｒｋ）キーＫ７が設けられている。そしてその下側の表示部７６は２段に分かれ、プロジェクタ２で表示したプレゼンテーション資料が最大６枚までサムネイル（縮小画面）７４として表示される。複数台のプロジェクタ２を使用しているときは選択された１台のプロジェクタ２に表示された資料がサムネイル表示される。
【０１０２】
任意のサムネイル７４を選択すると、上に表示された動画もこれに同期して、そのサムネイル７４が表示された時間までシフトし、その時間からノーマル再生される。このサムネイル表示に代えて上述したマーク表示に切り替えることができる。サムネイル表示とマーク表示の切り替えはＶｉｅｗ切り替え部７５で選択する。
【０１０３】
会議中にコントロール画面５０ｃのマークキーＫ７を押した順に、編集処理時に付された題名（題名が無い場合は「Ｕｎｔｉｔｌｅｄ」になる）と時間が表示される。そしてマーク表示欄７７の題名「オリジナル，推奨」等をマウス８でクリックすると、上に表示された動画もこれに同期してその時間までシフトして、ノーマル再生となる。これによって常に動画と静止画（プレゼンテーション資料）との同期が取られて表示されることになる。再生時には時間経過に合わせて表示がそれぞれ切り替わる。
【０１０４】
上述した静止画再生画面６０ｂの各表示領域の下側には、虫眼鏡を模した画面の拡大表示ボタンＫ２３があり、これが選択されたときには表示されている静止画が、最大表示パターンに切り替えて表示（オリジナルサイズ表示）される。
【０１０５】
続いて、当該ネットワーク電子会議システム１０１における処理例について説明をする。図１３はネットワーク電子会議システム１０１における処理例を示すフローチャートである。図１４は表示情報内容ＤINの記録時の処理例、図１５はその再生時の処理例を各々示すフローチャート（サブルーチン）である。
【０１０６】
この実施例では会議室にクリエータ５（情報作成系Ｉ）、プロジェクタ２及びコミュニケータ３（情報制御表示系II）を配置すると共に、その会議室内に一以上のノートパソコンＰＣｉ（情報処理系III）を準備する場合を前提とする。
【０１０７】
クリエータ５とコミュニケータ３とはＨＵＢ９Ａ、９Ｃ及び通信ケーブル４０を使用して接続される。アクセスポイント６はＨＵＢ９Ｂを通じて通信ケーブル４０に接続される。ノートパソコンＰＣｉには無線ＬＡＮカード４Ａが取り付けられ、アクセスポイント６とノートパソコンＰＣｉとが無線ＬＡＮ接続される。もちろん、ノートパソコンＰＣｉ、プロジェクタ２、コミュニケータ３及びクリエータ５は電源がオンされる。
【０１０８】
この例では資料発表者はプレゼンテーション用の文書ファイルや画像ファイルをノートパソコンＰＣｉからネットワーク経由でコミュニケータ３に転送する。この画像ファイルの転送によって、プレゼンテーション用資料をプロジェクタ２に表示するようになされる。また、資料発表者は、コミュニケータ３に対して、マウス８の操作権を得る処理を行い、プロジェクタ２の表示画面上にアイコン表示させながら説明するようになされる。なお、マークを打つ回数Ｎは最大１００回とする場合について例を挙げる。
【０１０９】
これを処理条件にして、図１３に示すフローチャートのステップＳ１で、会議参加者のノートパソコンＰＣｉを用いて電子会議用アプリケーションソフトウエアを起動し、コミュニケータ３にログオンする。この場合、最初の会議参加者がパスワードを設定し、それ以降の参加者はそのパスワードを入力することでその会議に参加することができる。パスワードは予めその電子会議システムに決められた固有の値ではないので、パスワードを忘れたり、間違って電子会議システム１０１を起動できないような不都合な問題をなくすことができる。
【０１１０】
その後、ステップＳ２に移行して会議参加者がクリエータ５を操作する画面であるコントロール画面５０ｃを開くと、そのクライアントだけが記録者クライアントＰＣとなる（図６参照）。ノートパソコンＰＣｉのＧＵＩ画面５０上で、図６に示したクリエータ５のアイコンＫ１を右クリックし、表示されたメニュー画面Ｐ０から「コントロール」を選択すると、コントロール画面５０ｃが表示される。
【０１１１】
そして、ステップＳ３に移行してコントロール画面５０ｃのＲＥＣキーＫ４を押すと、予め相手方と接続され、起動されているＴＶ会議装置７が会議の映像記録を開始するようになされる。このとき、図３に示したカメラ７ａやマイク７ｂ等を有したＴＶ会議装置７からの動画、音声情報がエンコードされてクリエータ５内のワーク用のＲＡＭ（ハードディスク）２２に保存される。
【０１１２】
そして、記録者クライアントＰＣでは例えば、図１４に示すサブルーチンに移行して、そのステップＢ１でＲＥＣキーＫ４が押下されるのを待つ。ＲＥＣキーＫ４が押下されるとステップＢ２でクリエータ５では動画の記録が開始される。
【０１１３】
その後、ステップＢ３に移行してノートパソコンＰＣｉでは一定時間を区切ってマークキーＫ７が押下されたかがチェックされる。このとき、ユーザは記録中に話題の変わったとき、プレゼンタが変わったときなど、コントロール画面５０ｃのマークキーＫ７を使って節目、節目でマークを打つようになされる。ノートパソコンＰＣｉでは一定時間内にマークキーＫ７が押下された場合はステップＢ４に移行してクリエータ５ではＭａｒｋリストにマーク番号「１，２・・・」と共にマーク時間「００：００：０１」等を記録するようになされる。Ｍａｒｋリストは例えば、記憶装置２３に展開される。
【０１１４】
その後、ステップＢ５に移行してクリエータ５ではマークの回数Ｎが「１００」を越えたかがチェックされる。マークの回数Ｎが１００回を越えた場合はステップＢ６に移行する。ステップＢ６ではノートパソコンＰＣｉではマークキーＫ７をディセーブル表示をする。マーク指定処理が限界であることをユーザに知らせるためである。
【０１１５】
また、ステップＢ３でノートパソコンＰＣｉでは一定時間を経過してもマークキーＫ７が押下されない場合及び、ステップＢ５でマークの回数Ｎが「１００」を越えていない場合はステップＢ７に移行する。ステップＢ７ではクリエータ５では表示情報内容ＤINの記録終了かを判別する。その記録を終了する場合はこれらの処理を終了する。なお、その記録を終了しない場合はステップＢ３に戻ってマークキーＫ７が押下されたかをチェックし、上述した処理を継続するようになされる。
【０１１６】
また、図６に示したコントロール画面５０ｃでＭＥＭＯキーＫ８を押すと、メモ画面５０ｄが開きテキストの入力が可能になる。同図のＳＥＮＤキーＫ１７を押すと、入力したテキストがクリエータ５内に取り込まれる。
【０１１７】
ここで図１３に示したフローチャートのステップＳ３に戻り、そして、ステップＳ４でノートパソコンＰＣｉのファイルリストＲ１からプレゼンテーション資料を表示したいプロジェクタ２のアイコンＫ２にドラッグ＆ドロップすると、プロジェクタ２の画面上にファイルリストで選択されたプレゼンテーション資料が表示される。これと同時にこのプレゼンテーション資料およびページ切り替え情報などがクリエータ５内のワーク用のＲＡＭ２２に保存される。
【０１１８】
このとき、クリエータ５ではコミュニケータ３から送られてきた表示情報内容ＤIN及びノートパソコンＰＣｉから送られてきたマーク情報ＣＤに基づいて、マークの番号及び時間をリストにして管理する。例えば、Ｍａｒｋリストは、
｛ＭＡＲＫ  データ：オリジナルとして
0003664132.tif 000002
｝というように表形式に集計され、マークリストとなって記憶装置２３に格納される。マークの名前は記録者用クライアントＰＣのＧＵＩ機能を利用してマークを打つとき又はその後に入力される。
【０１１９】
そして、ステップＳ５に移行して記録を終了する時は、コントロール画面５０ｃでＳＴＯＰキーＫ５を押す。その際、記録者側ノートパソコンＰＣｉには図９に示したような保存確認画面Ｐ１が表示される。コンテンツ保存処理以外はその内容が消去される。ここで保存操作を行うと、ステップＳ６に移行して会議コンテンツが自動的に生成される。
【０１２０】
つまり、ステップＳ６ではコミュニケータ３からの静止画情報とＴＶ会議装置７からの動画・音声情報に基づいて会議コンテンツが生成される。このとき、クリエータ５ではプレゼンテーション用の静止画像や会議室内の動画像を１つのデータストリームにした会議コンテンツの内容を成す電子情報内容ＤOUTが作成される。この動画像を含む会議コンテンツはインターネットのようなネットワークを介して参照できるようにするため、ファイルデータはＨＴＭＬ変換される。
【０１２１】
その後、ステップＳ７で会議コンテンツの生成が完了すると、コンテンツマネージャー画面５０ｅが自動的に表示される。もちろん、自動表示に限られることはなく、マニュアル操作によってコンテンツマネージャー画面５０ｅを開いてもらうようにしてもよい。この画面５０ｅでは、クリエータ５内に保存されている会議コンテンツを確認することができる（図８参照）。そして、ステップＳ８で、このコンテンツマネージャー画面５０ｅから見たい会議コンテンツを選択することで、その内容を再生できる。
【０１２２】
このとき、図１２に示したコンテンツ再生画面６０にマークリストの表示を行い、各自選択して視聴できるようになされる。そして、図１０に示したコンテンツ編集画面７０で会議コンテンツを編集するようになされる。例えば、図１５に示すサブルーチンをコールしてそのフローチャートのステップＣ１で記録者用クライアントＰＣではレビューキーＫ１１が押下されるのを待つ。レビューキーＫ１１が押下されるとステップＣ２ではマーク番号はＮ＝１か否かがチェックされる。
【０１２３】
マーク番号がＮ＝１の場合は、ステップＣ４に移行する。マーク番号がＮ＝１でない場合は、ステップＣ３に移行する。ステップＣ３ではマーク番号Ｎ＝１へシークする。その後、ステップＣ４に移行してクリエータ５では再生を開始するようになされる。
【０１２４】
そして、ステップＣ５に移行してクリエータ５では再生時間の監視が開始される。その後、ステップＣ６に移行してマーク番号Ｎの再生終了時間に達したか否かがチェックされる。マーク番号Ｎの再生終了時間に達した場合はステップＣ７に移行して次のマークは有るかがチェックされる。
【０１２５】
次のマークが有る場合はステップＣ８に移行してＮ＝次のマーク番号をセットするようになされる。その後、ステップＣ３に戻って上述した処理が継続される。ステップＣ７で次のマークが無い場合は処理を終了する。その後、図１３に示したフローチャートのステップＳ８にリターンする。
【０１２６】
そして、表示情報内容ＤINが確認された会議コンテンツはステップＳ９で図示しないサーバ装置に転送することで保存される。また、ステップＳ８で会議コンテンツを再生し、その内容を編集したいときには、ステップＳ１０に移行してコンテンツマネージャー画面５０ｅを操作することにより、その会議コンテンツをノートパソコンＰＣｉ側に転送して、既知の編集ソフトで編集することができる。
【０１２７】
例えば、Ｍａｒｋリストをテキスト編集で修正し、再生順番を入れ替えることができる。ここで先の例でマーク番号６を削除してマーク番号２とマーク番号３の間にマーク番号５を繰り上げた場合を例に採る。
【０１２８】
つまり、上述したＭａｒｋリストに関してマーク番号６をクリックする。マーク番号６を削除するためである。このマーク番号６に属する時刻及び名前も同時に表示色が変化する。そして、削除キーＫ２０をクリックする。これにより、マーク番号６に属する時刻及び名前も同時に削除される。マーク番号５を繰り上げる場合は、マウス８によってマーク番号５をドラッグすると共に、マーク番号２とマーク番号３の間にドロップする。この結果、
先の例で編集後のマークリストは、｛ＭＡＲＫ  ＤＡＴＡ：推奨
0003664132.tif 000003
｝というようになる。このように、編集ソフトを使って、Ｍａｒｋの追加、削除、名前をつけることが可能となる。このようなＭａｒｋリストを編集できるような専用ＧＵＩ機能（コンテンツ編集ソフトウエア）が準備される。このソフトウエアはノートパソコンＰＣｉ、クリエータ５又はコミュニケータ３のいずれかに常備すればよい。
【０１２９】
この編集後の電子情報内容（会議コンテンツ）ＤOUTはステップＳ９で図示しないサーバ装置に転送して保存される。これにより、ステップＳ１１で記録者のノートパソコンＰＣｉからは図示しないサーバ装置上の電子情報内容ＤOUTを再生することができる。
【０１３０】
このように、本発明に係る実施例としてのネットワーク電子会議システム１０１によれば、会議室にクリエータ５（情報作成系Ｉ）、プロジェクタ２及びコミュニケータ３（情報制御表示系II）を配置すると共に、その会議室内に一以上のノートパソコンＰＣｉ（情報処理系III）を準備される。クリエータ５とコミュニケータ３とはＨＵＢ９Ａ、９Ｃ及び通信ケーブル４０を使用して接続される。アクセスポイント６はＨＵＢ９Ｂを通じて通信ケーブル４０に接続される。アクセスポイント６とノートパソコンＰＣｉとが無線ＬＡＮによって接続される。ノートパソコンＰＣｉではＧＵＩ機能に基づいて任意の情報を処理するようになされる。
【０１３１】
これを前提にして、プロジェクタ２はノートパソコンＰＣｉのＧＵＩ機能に基づいて得られたマーク情報ＣＤを時間情報ＴＤと共に記録するようにクリエータ５を制御する。プロジェクタ２ではノートパソコンＰＣｉから転送される資料情報等に基づいて静止画像等が表示される。クリエータ５ではプロジェクタ２によって表示される表示情報内容ＤINや、動画像・音声情報等を時間情報ＴＤと共に記録して電子情報内容（ストリーミングデータ）ＤOUTを作成するようになされる。
【０１３２】
従って、時間情報ＴＤと共に記録された表示情報内容ＤINをマーク情報ＣＤによって任意の動画／音声を情報分割内容に、また、静止画全体をサムネイル７４等の情報分割内容に区分できるので、マーク情報ＣＤによって区分された複数の動画／音声や、静止画を時間情報ＴＤに基づいて再生順序を入れ替えたり、不要なサムネイル７４を再生対象から削除するような編集処理を行うことができる。組み替えた順序で動画／音声や、静止画を再生することができる。
【０１３３】
この実施例ではストリーミングデータの再生において、予めＭａｒｋｅｒ単位での再生手順を指定しておくので、編集作業なしで再生順序を変えたり、必要な部分だけを再生したりすることができる。例えば、ストリーミングデータの再生において、予め指定されたＭａｒｋｅｒの位置に飛ばして動画映像や静止画を再生することができる。
【０１３４】
つまり、このＭａｒｋｅｒキーＫ７を利用して、サムネイル７４等を再生する順番を予めＭａｒｋｅｒ単位で指定すると、組み替えた順序で動画／音声や、静止画を再生することができる。これにより、再生の順番を変えること、不要な部分を飛ばして再生することなどの機能が編集作業なしで実現できる。
【０１３５】
従って、従来方式のような編集作業をすることなしに表示情報内容ＤINを編集したのと同じ効果が得られる。このことで、編集作業分の工数削減が計れる。また、元の表示情報内容ＤINはそのまま残るので、再生順序の変更だけで、前回とは異なった形の会議コンテンツ等を作成することができる。
【０１３６】
また、再生手順をランダムに設定することで、Ｍａｒｋｅｒ単位でランダムに映像を再生でき、例えば問題の出題の順番を、見るたびに変えるなどの機能が実現できる。Ｍａｒｋｅｒの打ち方は、マニュアルで行う方法、一定時間で行う方法について説明したが、Ｍａｒｋｅｒの間隔を短くすれば、再生時の精度を上げることができる。
【０１３７】
これにより、複雑な編集作業を伴うことなく簡単に会議コンテンツ等の電子情報内容ＤOUTを作成することができる。コンテンツ再生・編集の容易なネットワーク電子会議システム１０１を提供することができる。
【０１３８】
当該ネットワーク情報処理システムに関してはネットワーク電子会議システム１０１の場合について説明したが、これに限られることはなく、ネットワーク教育システム、ネットワークゲームシステム等においても同様な効果が得られる。
【０１３９】
【発明の効果】
以上説明したように本発明に係るネットワーク情報処理システムによれば、情報処理装置、情報制御表示手段及び情報作成装置が通信手段により接続され、この情報制御表示手段は、情報処理装置の入力操作機能に基づいて得られた表示情報内容に、マークを設定するための識別情報を時間情報と共に記録するように情報作成装置を制御し、情報作成装置は、識別情報に基づいて表示情報内容を任意の情報分割内容に区分し、情報処理装置では、入力操作機能を使用して情報分割内容の再生順序が設定されるものである。
【０１４０】
この構成によって、識別情報により区分された情報分割内容を編集作業なしに時間情報に基づいて再生順序を入れ替えたり、不要な情報分割内容を再生対象から削除するような情報処理を行うことができる。従って、複雑な編集作業を伴うことなく簡単に議事録等の電子情報内容を作成することができる。
【０１４１】
本発明に係る情報処理方法によれば、情報処理系、情報制御表示系及び情報作成系が通信手段により接続され、情報処理系では、入力操作機能を使用して情報作成系に対して表示情報内容に、マークを設定するための識別情報を設定し、情報制御表示系では、情報処理系により設定された識別情報を時間情報と共に記録するように情報作成系を制御し、情報作成系では、識別情報に基づいて表示情報内容を任意の情報分割内容に区分し、情報処理系では、入力操作機能を使用して情報分割内容の再生順序を設定するようになされる。
【０１４２】
この構成によって、識別情報により区分された情報分割内容を編集作業なしに時間情報に基づいて再生順序を入れ替えたり、不要な情報分割内容を再生対象から削除するような情報処理を行うことができる。従って、複雑な編集作業を伴うことなく簡単に議事録等の電子情報内容を作成することができる。
【０１４３】
この発明はネットワーク電子会議システムや、ネットワーク教育システム、ネットワークゲームシステム等に適用して極めて好適である。
【図面の簡単な説明】
【図１】本発明に係る実施形態としてのネットワーク情報処理システム１００の構成例を示すブロック図である。
【図２】ネットワーク情報処理システム１００における処理例を示すフローチャートである。
【図３】本発明に係る実施例としてのネットワーク電子会議システム１０１の構成例を示すイメージ図である。
【図４】コミュニケータ３の内部構成例を示すブロック図である。
【図５】クリエータ５の内部構成例を示すブロック図である。
【図６】記録者用クライアントＰＣにおけるＧＵＩ画面５０の表示例を示すイメージ図である。
【図７】ＧＵＩ画面５０におけるメニュー画面Ｐ０の表示例を示すイメージ図である。
【図８】そのコンテンツマネージャー画面５０ｅの表示例を示すイメージ図である。
【図９】記録保存確認画面Ｐ１の表示例を示すイメージ図である。
【図１０】コンテンツ編集ソフトウエアに係るコンテンツ編集画面７０の表示例を示すイメージ図である。
【図１１】マークリスト編集画面Ｐ２の表示例を示すイメージ図である。
【図１２】コンテンツ再生画面６０の表示例を示すイメージ図である。
【図１３】ネットワーク電子会議システム１０１におけるシステム処理例を示すフローチャートである。
【図１４】表示情報内容の記録時の処理例を示すフローチャート（サブルーチン）である。
【図１５】表示情報内容の再生時の処理例を示すフローチャート（サブルーチン）である。
【符号の説明】
１・・・情報処理装置、２・・・プロジェクタ（表示装置）、３・・・コミュニケータ（情報処理支援装置）、４・・・通信手段、５・・・クリエータ（情報作成装置）、７・・・ＴＶ会議装置（動画・音声入力装置）、８・・・マウス、１０・・・プレゼンテーション装置（情報制御表示手段）、２１，３２・・・ＣＰＵ、２２，３３・・・ワーク用のＲＡＭ、２３・・・記憶装置、２４，３５・・・ネットワークアダプタ、２５・・・動画・音声入力端子、３１・・・ディスプレイアダプタ、３４・・・データ格納装置、４０・・・通信ケーブル（通信手段）、１００・・・ネットワーク情報処理システム、１０１・・・ネットワーク電子会議システム、ＰＣｉ（ｉ＝１〜ｎ）・・・ノートパソコン（情報処理装置）、Ｉ・・・情報作成系、II・・・情報制御表示系、III・・・情報処理系
【図１】
0003664132.tif 000004
【図２】
0003664132.tif 000005
【図３】
0003664132.tif 000006
【図４】
0003664132.tif 000007
【図５】
0003664132.tif 000008
【図６】
0003664132.tif 000009
【図７】
0003664132.tif 000010
【図８】
0003664132.tif 000011
【図９】
0003664132.tif 000012
【図１０】
0003664132.tif 000013
【図１１】
0003664132.tif 000014
【図１２】
0003664132.tif 000015
【図１３】
0003664132.tif 000016
【図１４】
0003664132.tif 000017
【図１５】
0003664132.tif 000018